(57)【要約】医療用手袋に組み込まれた吸引装置を含む医療用手袋が開示される。医療用手袋は、端部に１つ以上のオリフィスを有してもよく、チャネルを含んでもよい。一例において、医療用手袋は、予め形成されたチャネルを有する手型を用いて形成されてもよい。チャネルは、１つ以上のバイオセンサーを含んでもよい。【選択図】図１
2020520287.tif 000002
【特許請求の範囲】
【請求項１】
医療用手袋であって、
手を入れるための開口部と開口縁部を有するカフと、
前記カフに連結された本体部と、
前記カフと概ね反対側の前記本体部に結合された複数の指部分と、
前記手袋内に一体的に形成された第１のチャネルと、を含み、
前記第１のチャネルは、前記開口縁部に近接する第１の開口端部と、
前記指部分の１つの先端部に近接した第2の開口端部と、
前記第１の開口端部と前記第２の開口端部とを接続する密閉された中空の空間と、を含み、
前記第２の開口端部は、複数のオリフィスと、
前記チャネルに含まれる少なくとも１つのバイオセンサーと、
を含むことを特徴とする医療用手袋。
【請求項２】
前記第２の開口端部は、前記指部分の先端部の周囲に少なくとも部分的に延びている、請求項１に記載の医療用手袋。
【請求項３】
前記チャネルを形成する第１の材料をさらに含む、請求項１に記載の医療用手袋。
【請求項４】
前記複数のオリフィスの各々の１つは、概ね同じ形状を有し、前記複数のオリフィスの少なくとも１つは、他のオリフィスと異なる形状または大きさを有する請求項１に記載の医療用手袋。
【請求項５】
前記オリフィスの少なくとも一部が２列以上に配列されている、請求項１に記載の医療用手袋。
【請求項６】
第２のチャネルをさらに含む、請求項１に記載の医療用手袋。
【請求項７】
前記第２のチャネルは、前記第１のチャネルと同じ指部分のうちの１つ、および前記第１のチャネルとは異なる指部分に配置される、請求項６に記載の医療用手袋。
【請求項８】
前記第１のチャネルが吸引を提供し、前記第２のチャネルが洗浄を提供する、請求項６に記載の医療用手袋。
【請求項９】
前記第１のチャネルが吸引下にあるときに、前記第１のチャネルの崩壊を防止するための１つ以上の支持構造をさらに含む、請求項１に記載の医療用手袋。
【請求項１０】
前記第１のチャネルは、前記手袋に埋設されたチューブをさらに含む、請求項１に記載の医療用手袋。
【請求項１１】
医療用手袋を形成する方法であって、
チャネルを形成することと、
手型における前記チャネルを受け取るように構成された溝に前記チャネルを配置することと、
前記手型のカフへのビーズを付加することと、
前記手型の乾燥またを硬化させることと、
前記手型から形成された手袋を取り外すことと、
前記手袋の端と側面の穴の１つをレーザーで切断するか機械で打ち抜くこと、
を含むことを特徴とする医療用手袋の形成方法。
【請求項１２】
前記手型を浸出および加硫する工程をさらに含む、請求項１１に記載の方法。
【請求項１３】
ラテックス及び合成ポリマーのいずれかから前記手袋を形成する工程をさらに含む、請求項１１に記載の方法。
【請求項１４】
浸漬、押出、シリコーン型による鋳造、射出成形、セラミック、およびスチールロッドのいずれかから前記チャネルを形成することをさらに含む請求項１１に記載の方法。
【請求項１５】
前記チャネル内にバイオセンサーを含むことをさらに含む、請求項１１に記載の方法。
【請求項１６】
前記バイオセンサーを用いてバイオマーカーを分析および検出する工程をさらに含む、請求項１１に記載の方法。
【請求項１７】
医療用手袋の手型であって、
実質的に手の形をした本体部と、
前記本体部の一端の開口部と、
前記開口部から、前記手型の１つ以上の指の端部へ実質的にまたはその近くまで延びていて、チャネルを受け取るように構成された溝を含むこと、
を特徴とする医療用手袋の手型。
【請求項１８】
前記医療用手袋は、ラテックス及び合成ポリマーのいずれかから形成されることを特徴とする請求項１１に記載の手型。
【請求項１９】
前記チャネルが浸漬、押出、シリコーン型による鋳造、射出成形、セラミック、スチールロッドのいずれかから形成される請求項１１に記載の手型。
【請求項２０】
バイオセンサーが前記チャネルに含まれる、請求項１１に記載の手型。
【発明の詳細な説明】
【関連出願の相互参照】
【０００１】
本特許出願は、2017年4月14日に出願された仮出願第62／485,826号の優先権を主張し、その開示はその全体が本明細書に組み込まれる。
【技術分野】
【０００２】
本開示は、組み込まれた吸引装置を有する医療用手袋に関する。人差し指または複数の指に沿って医療用手袋の材料内に組み込まれた吸引装置を備えた医療用手袋は、外科医または歯科医が、器用さおよび指での正確な操作のための柔軟性を保持しながら、処置中に両手を使用し、吸引する能力を可能にする。
【背景技術】
【０００３】
医療用手袋 (外科用及び患者検査用手袋の両方を含む) は、患者及び外科医、歯科医、獣医及び医療従事者のような医療職員の両方に対する細菌又はウイルス感染のような広範な疾患の伝播を防止するために使用される。患者検査用手袋は患者と検査者の間の汚染を防止することを意図しているが、手術用手袋は手術室職員によって汚染から手術創を保護するために着用される。
【０００４】
さらに、歯科または医療処置の間、吸引装置を使用して、外科医がその領域を観察して作業することを可能にするために、手術されている領域から唾液または血液のような流体を除去し、組織、骨またはアマルガムのような破片も除去する。例えば、虫歯の詰め物のようないくつかの歯科処置では、歯を清潔で乾燥した状態に保つことが重要であり、吸引は歯の周囲に蓄積した唾液、血液、および歯科用ドリルからの水を除去する。
【０００５】
歯科または内科的処置中に吸引を行う場合,しばしば手術医または歯科医が吸引を自分で保持するか、補助者が吸引を行うために立ち会わなければならない。しかしながら、手術外科医または歯科医の手が吸引能力を維持しながら他の重要な作業を自由に行うことが望ましい。さらに、現在の吸引器具は、正確に、器用に、および柔軟に制御される手術外科医または歯科医自身の指と比較して、手術外科医または歯科医の手の不正確な延長である。
【発明の概要】
【０００６】
一態様では、手を入れるための開口部と開口縁部とを有するカフと、前記カフに連結された本体部と、前記カフと概ね反対側の本体部に結合された複数の指部分と、前記手袋内に一体的に形成された第1のチャネルとを含み、前記第1のチャネルが前記開口縁部に近接する第1の開口端部と、前記指部分の1つの先端部に近接した第2の開口端部と、前記第1の開口端部と前記第2の開口端部とを接続する密閉された中空空間とを含み、前記第2の開口端部が、複数のオリフィスと前記チャネルに含まれる少なくとも1つのバイオセンサーとを含む医療用手袋が開示される。
【０００７】
第2の開口端部は、指部分の先端部の周囲に少なくとも部分的に延在することができる。手袋は、チャネルを形成する第1の材料をさらに含むことができ、複数のオリフィスの各々は、概ね同じ形状を有し、複数のオリフィスの少なくとも1つは、他のオリフィスとは異なる形状または大きさを有する。
【０００８】
いくつかの実施形態では、オリフィスの少なくとも一部は、2列以上に配列される。手袋は第2のチャネルを形成することができる。いくつかの実施形態では、第2のチャネルは、第1のチャネルと同じ指部分のうちの1つ、および第1のチャネルとは異なる指部分上に配置される。第1のチャネルは吸引を提供することができ、第2のチャネルは洗浄を提供することができる。医療用手袋は、第1のチャネルが吸引されているときに第1のチャネルの崩壊を防止するために、1つ以上の支持構造を含むことができる。いくつかの実施形態では、第1のチャネルは、手袋内に埋設されたチューブをさらに含む。
【０００９】
別の態様では、医療用手袋を形成する方法は、チャネルを形成すること、チャネルを手型の溝内に配置すること、この溝は、チャネルを受容するように構成されていること、手型のカフにビーズを付けること、手型を乾燥または硬化させること、形成された手袋を手型から取り外すこと、および、手袋の端および側面の穴の一方をレーザー切断または機械で打ち抜くことを含む。この方法は、手型の浸出および加硫のうちの1つを含み得る。
【００１０】
この方法は、ラテックスおよび合成ポリマーのうちのいずれかから手袋を形成することを含むことができる。この方法は、浸漬、押出、シリコーン型による鋳造、射出成形、セラミックおよびスチールロッドのいずれかからチャネルを形成することを含むことができる。この方法は、チャネル内にバイオセンサーを含むことができる。この方法は、バイオセンサーを用いてバイオマーカーを分析および検出する方法の1つを含むことができる。
【００１１】
別の態様では、医療用手袋のための手型が開示されており、この手型は、実質的に手の形をした本体部と、この本体部の一端に開口部を有し、この開口部から、手型の1つ以上の指の端部に実質的に、またはその近くまで延び、チャネルを受容するように構成された溝を有している。医療用手袋はラテックス及び合成ポリマーのいずれかから形成される。手型はまた、浸漬、押出、シリコーン型による鋳造、射出成形、セラミックおよびスチールロッドのうちのいずれかから形成されるチャネルを含んでもよい。いくつかの態様において、バイオセンサーは、チャネルに含まれる。
【図面の簡単な説明】
【００１２】
本発明および好ましい実施形態の利点は、以下の図面の詳細な説明を参照することによって、より完全に理解される。
【００１３】
【図１】様々な実施形態による、一体型チャネルを有する医療用手袋の側面図を示す。
【図２】様々な実施形態による、一体型チャネルを有する医療用手袋の正面図を示す。
【図３】様々な実施形態による、一体型チャネルを有する医療用手袋の指部分の側面図を示す。
【図４】様々な実施形態による、一体型チャネルを有する医療用手袋の指部分の側面図を示す。
【図５】様々な実施形態による、一体型チャネルを有する医療用手袋の指部分の側面図を示す。
【図６】様々な実施形態による、一体型チャネルを有する医療用手袋の指部分の側面図を示す。
【図７】様々な実施形態による支持部材を示す。
【図８】様々な実施形態による医療用手袋の指部分上のチャネルに配置された支持部材を示す。
【図９】様々な実施形態による、一体型チャネルを有する医療用手袋の断面図を示す。
【図１０】様々な実施形態による、一体型チャネルを有する医療用手袋の断面図を示す。
【図１１】様々な実施形態による、一体型チャネルを有する医療用手袋の断面図を示す。
【図１２】様々な実施形態による、一体型チャネルを有する医療用手袋の断面図を示す。
【図１３】様々な実施形態による、一体型チャネルを有する医療用手袋の指部分の側面図を示す。
【図１４】様々な実施形態による吸引ヘッドの斜視図を示す。
【図１５】様々な実施形態による吸引ヘッドの斜視図を示す。
【図１６】様々な実施形態による、第一の一体型チャネルおよび第二の一体型チャネルを有する医療用手袋の指部分の側面図を示す。
【図１７】一体型チャネルを有する医療用手袋を製造する方法を示す流れ図である。
【図１８】一体型チャネルを有する医療用手袋を製造するための代替方法を示す流れ図である。
【図１９】一実施形態における手型の製造方法を示す流れ図である。
【図２０Ａ】一実施形態における手型を示す。
【図２０Ｂ】一実施形態における手型を示す。
【図２１】一実施形態における医療用手袋を形成するためのプロセスを示す。
【発明を実施するための形態】
【００１４】
以下に開示される追加の特徴および教示の各々は、別個に、または他の特徴および教示と組み合わせて利用されて、一体型吸引装置を含む医療用手袋のための装置、システム、および／または方法を提供することができる。本発明の代表的な実施例は、これらの追加の特徴及び教示の多くを別々に及び組み合わせて利用するが、添付図面を参照してさらに詳細に説明する。この詳細な説明は、単に、本教示の好ましい態様を実施するためのさらなる詳細を当業者に教示することを意図しており、本発明の範囲を限定することを意図していない。したがって、以下の詳細な説明に開示される特徴およびステップの組み合わせは、最も広い意味で本発明を実施するために必要ではなく、代わりに、単に本教示の代表例を具体的に説明するために教示される。
【００１５】
さらに、代表例および従属クレームの種々の特徴は、本教示のさらなる有用な実施形態を提供するために具体的かつ明示的に列挙されない方法で組み合わせることができる。さらに、明細書および／または特許請求の範囲に開示されたすべての特徴は、当初の開示のために、また、実施形態および／または特許請求の範囲における特徴の構成から独立して、請求の範囲に記載された主題を制限するために、互いに別々にかつ独立して開示されることが意図されていることを明確に留意されたい。また、実在体のグループのすべての値の範囲又は指標は、当初の開示のため、及びクレームされた主題事項を制限するために、可能性のあるすべての中間値又は中間体を開示することに明示的に留意されたい。
【００１６】
この技術は多くの異なる形態の実施形態の影響を受けやすいが、図面に示されており、本明細書ではいくつかの特定の実施形態について詳細に説明するが、本開示は技術の原理の例示として考慮されるべきであり、技術を図示の実施形態に限定することを意図するものではないことを理解する。
【００１７】
本明細書で使用される用語は、実施形態のみを説明するためのものであり、技術を限定することを意図するものではない。本明細書で使用される場合、単数形の「a」、「an」、および「the」は、文脈が明確に示さない限り、複数形も含むことが意図される。さらに理解されるように、用語「含む（comprise）」および／または「含む（comprising）」は、本明細書で使用される場合、記載された特徴、整数、工程、操作、要素、および／または構成要素の存在を指定するが、一つ以上の他の特徴、整数、工程、操作、要素、構成要素、および／またはそれらのグループの存在または追加を排除しない。
【００１８】
本明細書で言及される同様のまたは類似の要素および／または構成要素は、図面全体を通して同様の参照符号で識別され得ることが理解されるであろう。さらに理解されるように、図のいくつかは、本技術の単なる概略的な表現である。このように、構成要素のいくつかは、画像上の明瞭さのために実際のスケールから歪められている可能性がある。
【００１９】
本発明の実施形態は、吸引装置が組み込まれた医療用手袋に関する。
【００２０】
図1は、医療用手袋100の例示的な実施形態を示し、カフ105と、カフ105に連結された本体部110と、指部115とを含む。カフ105は、手を入れるための開口部155をさらに備え、開口部155は開口縁部160を有する。指部115は、複数の個々の指部分120を含むことができる。各指部分120は、指部分120が本体部110に結合する基端部125と、基端部125に対向する先端部130とを含む。医療用手袋100の本体部110は、カフ105と指部115とを結合することができ、医療用手袋100の使用者の手の上部と手のひらを概ね覆うことができる。医療用手袋100はさらに、カフ開口縁160に近接する第一の開口端部140から始まり、カフ140、本体部110及び少なくとも一つの指部分120を横切って連続的に延びる、囲まれた中空チャネル135を含むことができる。チャネル135は、指部分120の先端部130に近接する第二の開口端部145で終端することができる。様々な実施形態では、医療用手袋100は、チャネル135（図12参照）内に吸引チューブ165をさらに含むことができる。チューブ165は、図1に示すようにカフ開口縁160を越えて延び、吸引源への接続を容易にするためにコネクタ170で終端することができる。様々な実施形態では、医療用手袋100は、ラテックス、ビニル、ニトリル、ポリウレタンなどの合成または非合成ポリマーから作ることができる。
【００２１】
さらに、医療用手袋100は、使い捨て、再使用可能、無菌であってもよく、または非外科的使用のために無菌でなくてもよい。吸引チューブ165が医療用手袋100の材料内に組み込まれている様々な実施形態では、吸引チューブ165と周囲の手袋材料との間に分離はない。吸引チューブ165の周囲の医療用手袋100に穿孔が生じた場合、その下のインジケータ手袋（表示されていない）は、あらゆる可能性のある漏れを示し得る。
【００２２】
図2および図3は、第二の開口端部145が複数の個別のオリフィス150を含む様々な実施形態による、指部分120の先端部130におけるチャネル135の第二の開口端部145を示す。特定の実施形態は、単一のオリフィス150を含むことができるが、複数のオリフィス150を有することは、第二の開口端部145がプール吸引装置として機能することをより容易にし、それによって、大量の流体の吸引を可能にする。さらに、複数のオリフィス150を指先130の側面に沿って、かつ少なくとも部分的に指先130の周囲に分配することにより、使用者は、使用者の指の全体的な動きを少なくして、必要な場所に、一つ以上のオリフィス150を精密かつ正確に容易に位置決めすることができる。複数のオリフィス150は、閉塞することなく連続的に吸引することができる。様々な実施形態では、オリフィス150は、閉塞することなく連続的な吸引を可能にする指部分120の先端部130における任意の形状、サイズ、または任意の位置とすることができる。例えば、医療用手袋100を利用する歯科医は、検査または処置中に、唾液を蓄積している領域を吸引するか、または歯の周囲の領域を乾燥させるように指を操作することができる。さらに、例えば、医療用手袋100を使用する一般外科医は、閉塞した外科領域から血液または流体を吸引するために、手が届きにくい領域または見えない領域に指を移動させることができる。
【００２３】
上述のように、複数のオリフィス150は、任意の形状またはサイズであってよく、指部分120の先端部130に近接した任意の位置にあってよい。図4〜図6は種々のオリフィス150の形状、サイズおよび位置の特定の非限定的な例を示す。図1から図3までは、概ね等しいサイズのオリフィス150の単一の列を示しているが、図4は、様々な実施形態が、複数の列およびサイズのオリフィス150を組み合わせて含むことができることを示している。図4の例では、単一のより大きなオリフィス150を先端部130の近くに配置することができる。より大きなオリフィス150は、例えば、固体材料を吸引する必要があるが、より小さなオリフィス150を詰まらせる可能性のある歯科用途に有用である。図4のより小さいオリフィス150は、液体を吸引除去するために使用される。図5において、オリフィス150は、固体の除去をさらに容易にするため、またはより短い期間でより大量の液体の除去を容易にするために、全体的に丸い穴の代わりにスロットを含む。図4及び図5は、複数の列のオリフィス150を単一の列のオリフィス150と組み合わせることができることも示している。図6に示すようなさらなる例示的な実施形態では、様々な形状、サイズ、およびオリフィス150の列を組み合わせて使用することができる。したがって、図1〜図6に示される種々の実施形態から当業者には明らかなように、オリフィス150の任意の形状、サイズ、向き、または組み合わせが、本開示の範囲内にある。
【００２４】
チャネル135を吸引下に置くことは、チャネル135を少なくとも部分的に潰す傾向があり、それによって医療用手袋100の吸引能力を制限する。図7は、チャネル135の側壁に成形され得るか、またはチャネル135に挿入され得る補強コイル705を示す。コイル705は、使用者の指の器用さおよび正確な操作のための柔軟性を保持するために、エラストマー材料または他のポリマー材料などの柔軟であるが弾力性のある材料を含んでもよい。特定の実施形態では、コイル705は、ステンレス鋼やチタンなどの金属でもよい。さらに、コイル705は、所望の任意の長さとすることができ、チャネル135の全長、またはチャネル135の任意の部分または複数の部分に延在することができる。様々な実施形態では、コイル705は、指の柔軟性をさらに高めるために使用者の指関節が配置される場所には存在しなくてもよい。図8は、コイル705が、基部端125からオリフィス150の位置まで指部分120の長さに沿ってチャネル135内に配置される様々な実施形態を示す。図9〜図12は、医療用手袋100の長さに沿った任意の位置で取ることができる医療用手袋100の断面図を示す。図9は、チャネル135を含む部分を含む医療用手袋100全体が単一材料905を含む様々な実施形態を示す。材料905は、ラテックス、ニトリルゴム、ビニル、ネオプレンなどの医療用手袋100を製造するために、現在または将来において当技術分野で公知の任意の材料とすることができる。チャネル135は、製造プロセスの一部として医療用手袋100に成形することができる。図10は、医療用手袋100が第一の材料905を含み、チャネル135を含む医療用手袋100の一部が第二の材料1005を含む様々な実施形態を示す。第二の材料1005は、第一の材料905のものよりも弾性のある組成物とすることができ、チャネル135の側壁に追加の構造的強度を提供して、真空にさらされたときにチャネルが潰れることに対してより良好に抵抗できるようにする。弾性第二材料1005は、補強コイル705の必要性をなくすことができる。第二の材料1005の非限定的な例としては、ポリイソプレンまたは他の弾性ゴム化合物、シリコーンまたは他のシリコーン含有化合物、繊維強化化合物、熱硬化性ポリマーなどが挙げられる。
【００２５】
前の図では、チャネル135は、概して円形または楕円形であるように描かれている。本開示の範囲は、当技術分野で既知の任意の形状チャネル135を含み、例えば、図11は、第二の材料1005内に形成された三角形のチャネル135の様々な実施形態を示す。三角形形状は、図示されていない他の形状と同様に、チャネル135が吸引されているときに側壁崩壊に抵抗するためのより高い構造強度を提供することができる。チャネル135の異なる形状はまた、医療用手袋100の製造中にチャネル135をより容易に形成するために有利であり得る。
【００２６】
図12は、チャネル135を形成するために手袋材料905（または第二材料1005）に埋め込まれた吸引チューブ165を示す。先に図1に示したように、吸引チューブ165は、カフ開口縁160を越えて延び、吸引源への接続を容易にするためにコネクタ170で終端することができる。吸引チューブ165は、カフ開口縁160からオリフィス150またはその長さの任意の部分まで（特定の実施態様に含まれる）延在することができる。
【００２７】
様々な実施形態に従って図13に示されるように、特定の状況において、指部分120の先端部130の前にチャネル165を終端させることが有利であり得る。例えば、チャネル165は、吸引ではなく洗浄を提供することができ、洗浄源を先端部130の近くに配置することは重要ではない。図13の例では、チャネル165は、食塩水または他の液体の流れを容易にするように設計された単一のオリフィス150で終端することができる。
【００２８】
図13に示される実施形態はまた、図14および15に示されるように、挿入可能な吸引先端部1400の使用を容易にする。吸引チップ1400は、一つ以上のオリフィス150を有する吸引ヘッド1405と、チャネル165（例えば図13に示す実施形態）内に解放可能に挿入するように適合されたニップル1410とを含むことができる。ニップル1410は、図14に示すように短くてもよく、特定の用途に必要なように、図15に示すように長くてもよい。挿入可能な吸引チップ1400は、ユーザが特定の用途のためにオリフィス150の適切な配向位置およびサイズを選択することを可能にする。例えば、歯科医は、最初に、小さいオリフィス150を有する図14に示す挿入可能な吸引チップ1400を選択することができる。処置中、歯科医は、当初予想されたよりも多くの固体材料を吸引して除去することがあり、これによりオリフィス150が繰り返し詰まることがある。この状況において、歯科医は、第一の挿入可能な吸引チップ1400を取り外し、増加した固体量を処理するように設計されたより大きなオリフィス150を有する図15に示された挿入可能な吸引チップ1400と交換することができる。さらに、歯科医は、オリフィス150内に詰まった破片を迅速に除去するために、第一の挿入可能な吸引チップ1400を除去することができ、医療用手袋100を除去または交換する必要なく、第一の挿入可能な吸引チップ1400を再取り付けすることができる。
【００２９】
図14および図15は、挿入可能な吸引チップ1400が指部分120の先端部130に適合するように湾曲していることを示しているが、任意の所望の形状が本開示の範囲内である。
【００３０】
前の図は、カフ開口縁部160から単一の指部分120まで延びる単一のチャネル135を示している。図16は、第二のチャネル1605を含む様々な実施形態を示す。第一のチャネル135は吸引を提供する一方で、第二のチャネル1605は、例えば、洗浄源を提供することができる。
【００３１】
あるいは、第二のチャネル1605は、第二の吸引源を提供することができる。第二の吸引源として使用される場合、第二のチャネル1605は、カフ105、本体部110、または指部115に沿った任意の点で第一のチャネル135と結合することができる。あるいは、第二のチャネル1605は、第一のチャネル135から完全に分離されていてもよく、カフ開口縁部160で終端する。左手用または右手用の医療用手袋100のいずれかの指部分120のいずれかまたはすべてに向けられた共通または分離チャネル135、1605の任意の数が、医療用手袋100上にどのように配置されているかにかかわらず、本開示の範囲内であると理解される。
【００３２】
いくつかの実施形態では、人差し指の先端の手袋上の一次オリフィスは、主要な吸引を提供し、一体化されたチャネル内に1つ以上のリリーフ弁側孔を有して、繊細な手順において全力を用いることなく吸引を容易にする。他の実施形態では、吸引チャネルの側面は、吸引下での崩壊を防ぐために補強されてもよい(または「三角吸引マトリックス」 と呼ばれるもので構築されてもよい)。
【００３３】
図17は、一体型チャネルを有する医療用手袋を製造する方法1700を示す流れ図である。図17に示されるように、本方法は、最初に1702で、ラテックスまたはポリイソプレン、または任意の他の適切な合成ポリマーチューブを鋳造成形する。次に、1704において、この方法は、手袋型を独立に1回浸漬する。1706において、接着剤が鋳造ラテックスチャネルの平坦面に塗布される。いくつかの実施形態では、1706において接着剤は必要とされないことがある。1708において、鋳造ラテックスチャネルアセンブリ（すなわち、チューブ、スチールロッド／シリコーンチューブ）が手袋に接着される。次に、1710において、本方法は、ラテックスチャネルアセンブリを所定の位置に置いて手袋を浸漬する。乾燥および硬化は、1712において達成され、一方、1714において、ラテックスチャネルの先端および側面において、穴がレーザー切断される。次に、1716において、スチールロッド／シリコーンチューブが除去される（ロッドは、手型の浸漬の前または後に取り除くことができる）。最後に、1718において、手袋を手型から取り外す。
【００３４】
図18は、一体型チャネルを有する医療用手袋を製造するための代替方法1800を示す流れ図である。図18に示されるように、本方法は、最初に1802でラテックス、ポリイソプレンまたは任意の他の適切な合成ポリマーチューブを鋳造成形する。次に、1804において、当該方法は、手袋型を独立に1回浸漬する。1806において、輪郭形成されたスチールロッドをシリコーンチューブ内に配置して、鋳造ラテックスチャネルを手袋の人差し指輪郭に沿って固定する。いくつかの実施態様において、1806でラテックスチューブを鋳造する前に、スチールロッドをシリコーン中に配置することができることに留意されたい。次に、1808において、本方法は、ラテックスチャネルアセンブリを所定の位置に置いて手袋を浸漬する。乾燥および硬化は、1810において達成され、一方、1812において、ラテックスチャネルの先端および側面において、穴がレーザー切断される。次に、1814において、スチールロッド／シリコーンチューブが除去される。最後に、1816において、手袋を手型から取り外す。
【００３５】
いくつかの態様において、チャネル135は、バイオマーカーを検出および／または分析するために使用され得る一つ以上のバイオセンサーを含み得る。一実施形態では、バイオセンサーは、IEEE 802.11及びブルートゥースを含む任意の無線プロトコルを使用して、一つ以上のコンピューティング装置と無線通信することができる。他の実施形態では、バイオセンサーは、1つ以上のコンピューティング装置に配線接続することができる。いくつかの態様において、バイオセンサーは、化学、血液および血液の喪失および濃度、細胞含有量の測定、タンパク質の組成物間の区別、および／または病原体の同定をするように構成することができる。
【００３６】
図20A及び図20Bは、一例として予め形成された溝2002を有する、手袋100のような医療用手袋を形成するための手型2000を示す。手型2000は、開口部2001を有する実質的に手の形状の本体部2005を含むことができる。溝2002内にチャネル2003を形成することができる。手袋は、任意の合成ポリマーなどの他の材料から形成することができる。一部の実施形態では、スリーブまたはカバープレート2004を、手型2000の開口部2001の全体または一部の周囲に任意に配置することができる。溝2002は、開口部2001から、手型の一以上の指部分2006の端部またはその近くまで実質的に延在してもよい。
【００３７】
図19は、一実施形態において、手型2000を使用して手袋を製造する方法1900を示す。方法1900は、1901において、チャネル2002を形成するためにロッド2003のラテックス浸漬を含むことができる。一実施形態では、ロッド2003は、射出成形を使用してチャネルを形成する際に押し出してもよい。ロッド2003は、円、半円、楕円、三角形または正方形を含む任意の適切な形状とすることができる。あるいは、1902において、チャネル鋳型で鋳造することができる。1903において、チャネルは、手型の溝内に配置することができる。1904において、チャネルを所定の位置に置いて手型を浸漬することによって手袋が形成される。1905で、手型のカフにビーズを付けることができる。一実施形態では、ビーズ付加は、手型が水平状態および／または回転状態で行われてもよい。1906において、手型を乾燥させて硬化させることができる。1907において、手型から手袋を反転して取外すことができる。あるいは、1907において、空気吹き込みプロセスを使用して手袋を取外してもよい。
1908において、レーザー切断又はツール打抜きが、例えば、開口端部145又はオリフィス150を形成するために実施され得る。
【００３８】
図21は、手型を使用して手袋100のような手袋を形成する別の方法2100を示す。手型は、手型2000と実質的に同じであってもよく、または異なるものであってもよい。2101において、水リンス、漂白リンス、及びブラッシング等で手型を洗浄し、予備処理することができる。2102において、浸漬、押出、またはシリコーン型による鋳造、射出成形、セラミックまたはスチールロッドによりラテックスまたは合成材料でチャネルを形成する。ロッド2003は、円、半円、楕円、三角形または正方形を含む任意の適切な形状とすることができる。工程2103では、チャネルをロッドから取り除くことができる。工程2104では、手型を凝固剤に浸漬することができる。一実施形態において、凝固剤は、約70〜85°Cの温度制御浴を有することができ、工程2105において、チャネルは、次いで、手型の溝内に適用され得る。工程2106において、手型は次にラテックス又は合成材料の浸漬を受けて、チャネルと一体化する手袋部分を形成することができる。工程2107では、手袋のカフにビーズを付けることができる。一実施形態では、ビーズ付加は、手型が水平状態および／または回転状態で行われてもよい。工程2108では、手型が水平状態および／または回転状態である間に、手型を空気乾燥によって加熱することができる。工程2109では、浸出が起こり得る。工程2110において、加硫が行われ得る。工程2110において、事後浸出が生じることがある。工程2111では、オリフィス150のような遠位端の側面の穴または端の穴をレーザー切断または打ち抜くことができる。工程2112では、手型から手袋を反転して取外すことが起こり得る。工程2108〜2112はそれぞれ任意選択であり、工程2108〜2112の一部または全部を実行することができることに留意されたい。
【００３９】
本発明の好ましい実施形態の前述の説明は、例示および説明の目的で提示されている。これは、網羅的であること、又は本発明を正確な形態又は開示された例示的な実施形態に限定することを意図していない。明らかに、当業者には多くの修正および変形が明らかである。同様に、記載された任意のプロセス工程は、同じ結果を達成するために他の工程と交換可能である。実施形態は、本発明の原理およびその最良の態様の実用的用途を最良に説明するために選択および説明され、それによって、当業者が、考えられる特定の使用または実施に適しているような種々の実施形態および種々の改変について、本発明を理解することを可能にする。本発明の範囲は、添付の特許請求の範囲およびそれらの均等物によって定義されることが意図される。単数形の要素への参照は、明示的に指定されていない限り、「1つおよび1つのみ」を意味するものではなく、「1つ以上」を意味する。さらに、本開示の要素、構成要素、または方法ステップは、その要素、構成要素、または方法ステップが特許請求の範囲に明示的に記載されているかどうかにかかわらず、公衆に提供されることを意図していない。本明細書におけるクレーム要素は、要素が明示的に「means for~」の表現により示されない限り、35U.S.C.Sec.第６段落の規定に基づいて解釈されるべきではない。
【００４０】
さらに、前述の要約の目的は、米国特許商標庁及び一般大衆、特に、特許若しくは法律用語又は表現に精通していない科学者、技術者及び当業者が、簡単な検査から出願の技術的開示の性質及び本質を迅速に決定できるようにすることである。要約は、本発明の範囲を限定するものではない。また、特許請求の範囲に記載された工程及びプロセスは、提示された順序で実施される必要はないことを理解されたい。
【符号の説明】
【００４１】
１００  医療用手袋
１０５  カフ
１１０  本体部
１１５  指部
１２０  指部分
１２５  基端部
１３０  先端部
１３５  チャネル
１４０  開口端部
１４５  第二の開口端部
１５０  オリフィス
１５５  開口部
１６０  開口縁部
１６５  吸引チューブ
１７０  コネクタ
７０５  補強コイル
９０５  第一の材料
１００５  第二の材料
１４００  吸引先端部
１４０５  吸引ヘッド
１４１０  ニップル
１６０５  第二のチャネル
１７００  製造方法を示す流れ図
１７０２  ラテックス／ポリイソプレンチューブの鋳造
１７０４  手袋型を独立に１回浸漬
１７０６  接着剤を鋳造ラテックスチャネルの平坦面に塗布
１７０８  鋳造ラテックスチャネルアセンブリ（チューブ、スチールロッド／シリコーンチューブ）の接着
１７１０  ラテックスチャネルアセンブリを所定の位置に置いて手袋を浸漬
１７１２  乾燥、硬化
１７１４  ラテックスチャネルの端および側面において穴をレーザー切断
１７１６  スチールロッド／シリコーンチューブの除去
１７１８  手袋を手型から取り外す
１８００  製造方法を示す流れ図
１８０２  ラテックス／ポリイソプレンチューブの鋳造
１８０４  手袋型を独立に１回浸漬
１８０６  輪郭形成されたスチールロッドをシリコーンチューブ内に配置して鋳造ラテックスチャネルを人差し指輪郭に沿って固定する
１８０８  ラテックスチャネルアセンブリを所定の位置に置いて手袋を浸漬
１８１０  乾燥、硬化
１８１２  ラテックスチャネルの端および側面において穴をレーザー切断
１８１４  スチールロッド／シリコーンチューブの除去
１８１６  手袋を手型から取り外す
１９００  手袋を製造する方法
１９０１  チャネルを形成するためにロッド（楕円、円、三角形等）のラテックス浸漬
１９０２  鋳造チャネル
１９０３  手型の溝にチャネルを置く
１９０４  手袋を形成するためにチャネルを所定の位置に置いて手型を浸漬
１９０５  カフへのビーズ付加
１９０６  器具全体を乾燥、硬化
１９０７  手型から手袋を反転して取外す
１９０８  端および側面の穴をレーザー切断またはツール打抜き
２０００  手型
２００１  開口部
２００２  溝
２００３  ロッド
２００４  スリーブまたはカバープレート
２００５  本体部
２００６  指部分
２１００  手袋を形成する方法
２１０１  手型の準備
２１０２  ロッドでチャネルの形成
２１０３  チャネルをロッドから取外す
２１０４  手型を凝固剤に浸漬
２１０５  手型の溝にチャネルを適用
２１０６  チャネルを有する手袋を形成するために手型を浸漬
２１０７  手袋のカフへのビーズ付加
２１０８  手型の加熱
２１０９  浸出
２１１０  加硫
２１１１  事後浸出
２１１２  側面の穴又は端の穴の形成
【図１】
2020520287.tif 000003
【図２】
2020520287.tif 000004
【図３】
2020520287.tif 000005
【図４】
2020520287.tif 000006
【図５】
2020520287.tif 000007
【図６】
2020520287.tif 000008
【図７】
2020520287.tif 000009
【図８】
2020520287.tif 000010
【図９】
2020520287.tif 000011
【図１０】
2020520287.tif 000012
【図１１】
2020520287.tif 000013
【図１２】
2020520287.tif 000014
【図１３】
2020520287.tif 000015
【図１４】
2020520287.tif 000016
【図１５】
2020520287.tif 000017
【図１６】
2020520287.tif 000018
【図１７】
2020520287.tif 000019
【図１８】
2020520287.tif 000020
【図１９】
2020520287.tif 000021
【図２０Ａ】
2020520287.tif 000022
【図２０Ｂ】
2020520287.tif 000023
【図２１】
2020520287.tif 000024
【国際調査報告】
2020520287.tif 000025
2020520287.tif 000026
2020520287.tif 000027